(57)【要約】【課題】奏者によらず安定した音を奏でることが可能な延長吹口およびオカリナを提供すること。【解決手段】吹奏楽器（オカリナ１０）に接続される延長吹口２０であって、呼気が吹き込まれる吹口２１と、吹口に接続される伸縮性を有する管状部材２２と、内部に流路を有し、管状部材に一端が接続され、他端が吹奏楽器の笛口に着脱自在に接続され、流路の出口の径が、管状部材の内径よりも小さく設定され、流路を流れる呼気の流量を絞って笛口に供給する調整部材２３と、を有する。【選択図】図１
2019003168.tif 000002
【特許請求の範囲】
【請求項１】
吹奏楽器に接続される延長吹口であって、
呼気が吹き込まれる吹口と、
前記吹口に接続される伸縮性を有する管状部材と、
内部に流路を有し、前記管状部材に一端が接続され、他端が前記吹奏楽器の笛口に着脱自在に接続され、前記流路の出口の径が、前記管状部材の内径よりも小さく設定され、前記流路を流れる前記呼気の流量を絞って前記笛口に供給する調整部材と、
を有することを特徴とする延長吹口。
【請求項２】
前記調整部材は、吸水性を有する部材によって構成されることを特徴とする請求項１に記載の延長吹口。
【請求項３】
前記調整部材は、素焼きの陶器によって構成されることを特徴とする請求項２に記載の延長吹口。
【請求項４】
前記調整部材の前記流路は、前記調整部材の外形と略同じ形状を有することを特徴とする請求項１乃至３のいずれか１項に記載の延長吹口。
【請求項５】
前記調整部材と前記管状部材の間に、内部に流路を有する他の調整部材をさらに備え、
前記他の調整部材の前記流路は入口から出口に向かって径が広がっており、
前記調整部材の前記流路は入口から出口に向かって径が狭まっている、
ことを特徴とする請求項１乃至３のいずれか１項に記載の延長吹口。
【請求項６】
前記管状部材は、ゴムチューブによって構成されることを特徴とする請求項１乃至５のいずれか１項に記載の延長吹口。
【請求項７】
前記吹口は、前記管状部材から前記呼気が吹き込まれる部分に向かって断面積が広くなる形状を有していることを特徴とする請求項１乃至６のいずれか１項に記載の延長吹口。
【請求項８】
前記吹口の奏者の口唇が当接される部分には、凹部が形成されていることを特徴とする請求項７に記載の延長吹口。
【請求項９】
請求項１乃至８のいずれか１項に記載の前記延長吹口を有することを特徴とするオカリナ。
【発明の詳細な説明】
【技術分野】
【０００１】
本発明は、延長吹口およびオカリナに関するものである。
【背景技術】
【０００２】
オカリナ等の吹奏楽器の音を改善する技術としては、例えば、特許文献１に開示される技術がある。
【０００３】
特許文献１に開示された技術では、内部が空洞である共鳴胴部を上半体と下半体に分けて分割成型し、下半体の笛口を凹状に窪ませるとともにその窪みに中栓部材を嵌めるように構成し、中栓部材の腹面に気道構成用空間部を形成し、下半体の笛口に中栓部材を嵌めた状態で気道構成用空間部と笛口との間にできる隙間を気道とすることで、音質を改善するとともに、楽器製造時の不良率を低減することができる。
【先行技術文献】
【特許文献】
【０００４】
【特許文献１】特開平６−１２０５８号公報
【発明の概要】
【発明が解決しようとする課題】
【０００５】
ところで、特許文献１に開示された技術では、奏者が高齢者であったり、呼吸器疾患を有していたり、年少者であったりする場合、呼気を安定的に吹奏楽器に供給できないことから、音が不安定になるという問題点がある。
【０００６】
本発明は、以上の点に鑑みてなされたものであり、奏者によらず安定した音を奏でることが可能な延長吹口およびオカリナを提供することを目的としている。
【課題を解決するための手段】
【０００７】
上記課題を解決するために、本発明は、吹奏楽器に接続される延長吹口であって、呼気が吹き込まれる吹口と、前記吹口に接続される伸縮性を有する管状部材と、内部に流路を有し、前記管状部材に一端が接続され、他端が前記吹奏楽器の笛口に着脱自在に接続され、前記流路の出口の径が、前記管状部材の内径よりも小さく設定され、前記流路を流れる前記呼気の流量を絞って前記笛口に供給する調整部材と、を有することを特徴とする。
このような構成によれば、奏者によらず安定した音を奏でることが可能となる。
【０００８】
また、本発明は、前記調整部材は、吸水性を有する部材によって構成されることを特徴とする。
このような構成によれば、内部の結露を吸収することで、安定した音を保持することができる。
【０００９】
また、本発明は、前記調整部材は、素焼きの陶器によって構成されることを特徴とする。
このような構成によれば、調整部材に熱を加えることで、乾燥させるとともに殺菌を行うことができる。
【００１０】
また、本発明は、前記調整部材の前記流路は、前記調整部材の外形と略同じ形状を有することを特徴とする。
このような構成によれば、流路の表面積を大きくすることで、内部の結露をより確実に吸収することができる。
【００１１】
また、本発明は、前記調整部材と前記管状部材の間に、内部に流路を有する他の調整部材をさらに備え、前記他の調整部材の前記流路は入口から出口に向かって径が広がっており、前記調整部材の前記流路は入口から出口に向かって径が狭まっている、ことを特徴とする。
このような構成によれば、調整部材および他の調整部材の内部の洗浄を簡易に行うことができる。
【００１２】
また、本発明は、前記管状部材は、ゴムチューブによって構成されることを特徴とする。
このような構成によれば、ゴムの収縮によって、呼気を一層安定化させることができる。
【００１３】
また、本発明は、前記吹口は、前記管状部材から前記呼気が吹き込まれる部分に向かって断面積が広くなる形状を有していることを特徴とする。
このような構成によれば、奏者が呼気を吹き込み易くすることができる。
【００１４】
また、本発明は、前記吹口の奏者の口唇が当接される部分には、凹部が形成されていることを特徴とする。
このような構成によれば、吹口が移動することを規制するとともに、呼気が漏洩することを抑制することができる。
【００１５】
また、本発明は、請求項１乃至６のいずれか１項に記載の前記延長吹口を有することを特徴とするオカリナ。
このような構成によれば、奏者によらず安定した音を奏でることが可能なオカリナを提供することができる。
【発明の効果】
【００１６】
本発明によれば、奏者によらず安定的な音を奏でることが可能な延長吹口およびオカリナを提供することができる。
【図面の簡単な説明】
【００１７】
【図１】本発明の第１実施形態に係る延長吹口の構成例を示す図である。
【図２】図１に示す第１実施形態の内部構造を示す図である。
【図３】図１に示す第１実施形態の展開図である。
【図４】図１に示す第１実施形態が有する吹口と調整部材の構成例を示す図である。
【図５】図１に示す第１実施形態の管状部材の素材の種類と長さおよび太さを変更した場合の実験結果を示す図である。
【図６】本発明の第２実施形態に係る延長吹口の構成例を示す図である。
【図７】図６に示す第２実施形態の内部構造を示す図である。
【図８】図６に示す第２実施形態の展開図である。
【図９】図６に示す第２実施形態が有する吹口と２つの調整部材の構成例を示す図である。
【図１０】本発明の第３実施形態に係る延長吹口の構成例を示す図である。
【図１１】図１０に示す第３実施形態の内部構造を示す図である。
【図１２】図１０に示す第３実施形態の展開図である。
【図１３】図１０に示す第３実施形態が有する吹口と調整部材の構成例を示す図である。
【発明を実施するための形態】
【００１８】
次に、本発明の実施形態について説明する。
【００１９】
（Ａ）本発明の第１実施形態の構成の説明
図１〜図４を参照して、本発明の第１実施形態に係る延長吹口の構成例について説明する。ここで、図１は第１実施形態の構成例を示す正面図であり、図２は第１実施形態の内部構造を示す図であり、図３は第１実施形態の展開図である。
【００２０】
図１〜図３に示すように、第１実施形態の延長吹口２０は、吹口２１、管状部材２２、調整部材２３、および、管状部材２４を有し、管状部材２４の一端がオカリナ１０の笛口１２に着脱自在に接続される。
【００２１】
ここで、吹口２１は、例えば、陶器、樹脂、木材、金属、ゴム等の空気を通しにくい部材によって構成され、一端が扁平な形状を有し、他端が円形の断面形状を有している。吹口２１の扁平な一端は奏者の口唇によって咥えられ、呼気を吹き込まれる。また、他端は管状部材２２の一端の内側に挿入される。
【００２２】
管状部材２２は、伸縮性を有する部材によって構成される。具体的には、例えば、ゴムまたは樹脂等の部材によって構成される。管状部材２２は、例えば、５〜２０ｃｍ程度の長さを有し、一端の内部に吹口２１が挿入され、他端の内部に調整部材２３が挿入される。
【００２３】
調整部材２３は、例えば、陶器、樹脂、木材、金属、ゴム等によって構成される。なお、調整部材２３は、空気を通しにくいとともに、吸収性を有する陶器または樹脂等によって構成することが望ましく、吸水性を有するとともに耐熱性を有する素焼きの陶器によって構成されることがさらに望ましい。
【００２４】
管状部材２４は、空気を通しにくく、可撓性を有する部材によって構成される。具体的には、例えば、ゴムまたは樹脂等によって構成される。管状部材２４は、例えば、２〜５ｃｍ程度の長さを有し、一端の内部に調整部材２３が挿入され、他端の内部にオカリナ１０の笛口１２が挿入される。
【００２５】
オカリナ１０は、例えば、陶器、樹脂、木材、金属、ゴム等によって構成され、共鳴部および指孔を有する本体部１１および笛口１２を有している。
【００２６】
図４は、吹口２１と調整部材２３の構成例を示す図である。より詳細には、図４（Ａ）は、吹口２１の詳細な構成例を示している。図４（Ａ）の中央は、吹口２１の平面図であり、右側は右側面図であり、左側は左側面図である。この図に示すように、吹口２１は、略厚みを有する三角形状の部分と、円柱形状を有する部分とから構成される。なお、吹口２１がこのような形状を有するのは、三角形状の部分については、奏者が口を大きく開けることなく容易に咥えることができるようにするためであり、また、円柱形状を有するのは管状部材２２との接続を容易にするためである。
【００２７】
図４（Ａ）の右側面図に示すように、三角形状を有する部分には断面がＷ１×Ｗ２の矩形形状を有する気道が形成されている。また、左側面図に示すように、円柱形状を有する部分には、直径がＲ１の気道が形成されている。なお、Ｗ１，Ｗ２，Ｒ１の具体的な寸法としては、一例として、Ｗ１＝１ｍｍ，Ｗ２＝９ｍｍ，Ｒ１＝７ｍｍとすることができる。また、肉厚としては、数ミリ程度とすることができる。もちろん、これ以外の寸法でもよい。
【００２８】
図４（Ｂ）は、調整部材２３の構成例を示している。図４（Ｂ）の中央は、調整部材２３の平面図であり、右側は右側面図であり、左側は左側面図である。この図に示すように、調整部材２３は、直径が小さい円柱と、直径が大きい円柱がなだらかに接続された瓶型の形状を有している。調整部材２３の内部には、外形形状と略同じ形状（瓶型形状）を有する気道が形成されている。すなわち、調整部材２３は、略一定の肉厚となるように、気道が形成されている。また、調整部材２３の右側には直径Ｒ２の入口が形成され、底部（図の左側の部分）には直径Ｒ３の出口が形成されている。なお、Ｒ２，Ｒ３の具体的な寸法としては、一例として、Ｒ２＝３ｍｍ，Ｒ３＝１ｍｍとすることができる。また、肉厚としては、数ミリ程度とすることができる。もちろん、これ以外の寸法でもよい。
【００２９】
（Ｂ）本発明の第１実施形態の動作の説明
つぎに、本発明の第１実施形態の動作について説明する。奏者がオカリナ１０を手に把持して本体部１１の指孔に指を配置し、吹口２１を口に咥えることで、演奏の準備が完了する。
【００３０】
このような状態において、奏者が吹口２１に対して呼気を吹き込むと、吹き込まれた呼気は、図４（Ａ）の右側に示す、Ｗ１×Ｗ２の矩形形状を有する気道から流入し、直径がＲ１の円形形状を有する出口から流出する。吹口２１が有する気道によって、呼気の流通が制限されるので、口腔内に蓄えられた呼気が一気に抜けてしまうことを防止できる。
【００３１】
吹口２１から流出した呼気は、管状部材２２内に送られる。管状部材２２は、前述したように、伸縮性を有する部材で構成されているので、呼気の圧力が急に高くなった場合には、管状部材２２が長さ方向または太さ方向に伸張し、逆に、呼気の圧力が急に低くなった場合には、管状部材２２が長さ方向または太さ方向に収縮することで、呼気の圧力の急激な変化を緩和する。
【００３２】
管状部材２２を通過した呼気は、調整部材２３に供給される。調整部材２３内に形成される気道は、図４（Ｂ）に示すように、一定の容積を有している。また、気道の入口よりも出口の直径が小さくなるように設定されている（Ｒ３＜Ｒ２に設定されている）。このため、調整部材２３に供給される空気の圧力が断続的に変化した場合であっても、調整部材２３の気道によって変化を吸収することができる。また、気道の出口の大きさを、奏者の肺活量や体力等に応じて適切に設定することで、オカリナ１０に対して適切な量の空気を継続的に供給することができる。
【００３３】
調整部材２３を通過した呼気は、管状部材２４に供給される。管状部材２４の断面積は、調整部材２３の出口の面積よりも大きいので、ベンチュリー効果によって、流速が減少する代わりに、圧力が高くなる。管状部材２４を通過した圧力が高められた呼気は、オカリナ１０の笛口１２に供給される。
【００３４】
笛口１２に供給された呼気は、笛口１２の内部に形成されている気道を経由し、図示しないエッジに対して吹き当てられて分岐し、一部は本体部１１の共鳴部に流入し、一部は図示しない歌口から外部へ流出する。奏者が、指を操って、押さえる指孔の位置を変えることで音高を変え、楽曲を奏でることが出来る。
【００３５】
なお、奏者が呼吸器疾患を有する場合や、高齢者の場合、呼気が断続的になったり、一定の流量を保ったりすることが困難な場合がある。そのような場合であっても、第１実施形態では、調整部材２３によって呼気の流量をコントロールするとともに、調整部材２３内に設けられた一定の容積を有する気道と、伸縮自在な管状部材２２とによって、断続する呼気を平滑化するとともに、流量を一定に保つことができる。このため、安定した音を発することが可能になる。
【００３６】
図５は、管状部材２２の素材、太さ、および、長さを変えた場合の音の良否に関する実験結果を示す図である。この例では、管状部材２２の素材として、シリコンチューブ、アメゴム、燃料チューブ、および、ストレッチゴムを用い、太さを変えるとともに、長さを５ｃｍ〜２０ｃｍの間で５ｃｍ刻みにより変化させた場合の音の良否を、悪い方から順に×、△、〇、◎で示している。なお、シリコンチューブは、例えば、シリコーン生ゴムとヒュームドシリカを主成分としたゴムによって形成されるチューブである。アメゴムは、例えば、生ゴムを６０％以上含む素材によって形成されるチューブである。燃料チューブは、耐油性の高い合成ゴムによって形成されるチューブである。また、ストレッチゴムは、エクササイズに使用するチューブであり、例えば、熱可塑性エラストマまたは合成ゴム等によって構成される伸縮性が高いチューブである。
【００３７】
実験結果から、ストレッチゴムやアメゴム等の伸縮性が高い素材の方が、燃料チューブやシリコンチューブ等のように伸縮性があまり高くない素材に比べて良好な結果が得られている。また、太さは、内径が６〜１０ｃｍ程度で、外径が８〜１４ｃｍ程度が良好な結果に繋がっている。さらに、長さは、５〜１５ｃｍ程度が良好な結果に繋がっている。このため、管状部材２２としては、ストレッチゴムやアメゴム等の伸縮性が高い素材で、内径が６〜１０ｃｍ程度で、外径が８〜１４ｃｍ程度であって、長さが５〜１５ｃｍ程度であることが望ましい。このように、管状部材２２の素材および形状を選択することで、奏者が呼吸器疾患を有する場合や、高齢者の場合でも、呼気を平滑化するとともに流量を一定に保つことで、安定した音を得ることができる。
【００３８】
以上に説明したように、本発明の第１実施形態によれば、管状部材２２の素材および形状を選択することで、奏者が呼吸器疾患を有する場合や、高齢者の場合でも、呼気を平滑化するとともに流量を一定に保つことで、安定した音を得ることができる。
【００３９】
また、管状部材２２を、可撓性を有する部材とすることで、オカリナ１０を上下および左右方向に自在に移動させることができるので、奏者の好みの位置でオカリナ１０を把持して演奏することができる。
【００４０】
また、調整部材２３として、吸水性を有する部材を選択することで、管状部材２２内に生じた結露による水分を吸収することができる。これにより、例えば、エッジに水分が付着して音が出にくくなることを防止できる。
【００４１】
また、調整部材２３の気道を、図４（Ｂ）に示すように、外形と略同じに構成することで（略一定の肉厚になるように構成することで）、気道の表面積を広くすることができ、水分の吸収を迅速化することができる。また、このような構成によれば、気道の容積を大きくすることができるので、呼気を平滑化するとともに流量を一定に保つことで、安定した音を得ることができる。
【００４２】
また、調整部材２３として、耐熱性を有する部材（例えば、素焼きの陶器）を用いることで、調整部材２３を取り外して、例えば、オーブン等で１００℃前後に加熱して乾燥させるとともに、殺菌することで、結露した水分によってカビ等が発生することを防止できる。特に、呼吸器疾患を有する奏者に対しては、カビは症状を悪化させる原因にもなるので、加熱による殺菌を可能とすることで、症状を悪化させずに、音楽を楽しむことができる。
【００４３】
（Ｃ）本発明の第２実施形態の構成の説明
つぎに、図６〜図９を参照して、本発明の第２実施形態に係る延長吹口の構成例について説明する。ここで、図６は第２実施形態の構成例を示す正面図であり、図７は第２実施形態の内部構造を示す図であり、図８は第２実施形態の展開図であり、図９は第２実施形態の吹口２１および調整部材２３，２７の詳細な構成を説明するための図である。
【００４４】
図６〜図８に示すように、第２実施形態の延長吹口２０は、吹口２１、管状部材２２、管状部材２４、調整部材２５、管状部材２６、および、調整部材２７を有し、管状部材２４の一端がオカリナ１０の笛口１２に着脱自在に接続される。なお、図１と対応する部分には同一の符号を付している。
【００４５】
ここで、吹口２１は、例えば、陶器、樹脂、木材、金属、ゴム等の空気を通しにくい部材によって構成され、一端が扁平な形状を有し、他端が円形の断面形状を有している。吹口２１の扁平な一端は奏者の口唇によって咥えられ、呼気を吹き込まれる。また、他端は管状部材２２の一端の内側に挿入される。
【００４６】
管状部材２２は、伸縮性を有する部材によって構成される。具体的には、例えば、ゴムまたは樹脂等の部材によって構成される。管状部材２２は、例えば、５〜２０ｃｍ程度の長さを有し、一端の内部に吹口２１が挿入され、他端の内部に調整部材２５が挿入される。なお、この管状部材２２の素材としては、図５に示すように、ストレッチゴムやアメゴム等の伸縮性が高い素材で、内径が６〜１０ｃｍ程度で、外径が８〜１４ｃｍ程度であって、長さが５〜１５ｃｍ程度であることが望ましい。
【００４７】
調整部材２５は、例えば、陶器、樹脂、木材、金属、ゴム等の空気を通しにくい部材によって構成される。なお、吸収性を有する陶器または樹脂等によって構成することが望ましく、吸水性を有するとともに耐熱性を有する素焼きの陶器によって構成されることがさらに望ましい。
【００４８】
管状部材２６は、空気を通しにくく、可撓性を有する部材によって構成される。具体的には、例えば、ゴムまたは樹脂等によって構成される。管状部材２６は、例えば、２〜５ｃｍ程度の長さを有し、一端の内部に調整部材２５が挿入され、他端の内部に調整部材２７が挿入される。
【００４９】
調整部材２７は、例えば、陶器、樹脂、木材、金属、ゴム等によって構成される。なお、調整部材２３は、空気を通しにくいとともに、吸収性を有する陶器または樹脂等によって構成することが望ましく、吸水性を有するとともに耐熱性を有する素焼きの陶器によって構成されることがさらに望ましい。
【００５０】
管状部材２４は、空気を通しにくく、可撓性を有する部材によって構成される。具体的には、例えば、ゴムまたは樹脂等によって構成される。管状部材２４は、例えば、２〜５ｃｍ程度の長さを有し、一端の内部に調整部材２７が挿入され、他端の内部にオカリナ１０の笛口１２が挿入される。
【００５１】
オカリナ１０は、例えば、陶器、樹脂、木材、金属、ゴム等によって構成され、共鳴部および指孔を有する本体部１１および笛口１２を有している。
【００５２】
図９は、吹口２１、調整部材２５、および、調整部材２７の構成例を示す図である。より詳細には、図９（Ａ）は、吹口２１の詳細な構成例を示している。図９（Ａ）の中央は、吹口２１の平面図であり、右側は右側面図であり、左側は左側面図である。この図に示すように、吹口２１は、略厚みを有する三角形状の部分と、円柱形状を有する部分とから構成される。なお、吹口２１がこのような形状を有するのは、三角形状の部分については、奏者が口を大きく開けることなく容易に咥えることができるようにするためであり、また、円柱形状を有するのは管状部材２２との接続を容易にするためである。
【００５３】
図９（Ａ）の右側面図に示すように、三角形状を有する部分には断面がＷ１×Ｗ２の矩形形状を有する気道形成されている。また、左側面図に示すように、円柱形状を有する部分には、直径がＲ１の気道が形成されている。なお、Ｗ１，Ｗ２，Ｒ１の具体的な寸法としては、一例として、Ｗ１＝１ｍｍ，Ｗ２＝９ｍｍ，Ｒ１＝７ｍｍとすることができる。また、肉厚としては、数ミリ程度とすることができる。もちろん、これ以外の寸法でもよい。
【００５４】
図９（Ｂ）は、調整部材２５の構成例を示している。図９（Ｂ）の中央は、調整部材２５の平面図であり、右側は右側面図であり、左側は左側面図である。この図に示すように、調整部材２５は、直径が小さい円柱と、直径が大きい円柱がなだらかに接続された瓶型の形状を有している。調整部材２５の内部には、外形形状と略同じ形状（瓶型形状）を有する気道が形成されている。すなわち、調整部材２５は、略一定の肉厚となるように、気道が形成されている。また、調整部材２５の右側には直径Ｒ４の入口が形成され、底部（図の左側の部分）には直径Ｒ５の出口が形成されている。なお、Ｒ４，Ｒ５の具体的な寸法としては、一例として、Ｒ４＝３ｍｍ，Ｒ５＝１０ｍｍとすることができる。また、肉厚としては、数ミリ程度とすることができる。もちろん、これ以外の寸法でもよい。
【００５５】
図９（Ｃ）は、調整部材２７の構成例を示している。図９（Ｃ）の中央は、調整部材２７の平面図であり、右側は右側面図であり、左側は左側面図である。この図に示すように、調整部材２７は、円柱形状を有している。調整部材２７の内部には、外形形状と略同じ形状（円柱形状）を有する気道が形成されている。すなわち、調整部材２７は、略一定の肉厚となるように、気道が形成されている。また、調整部材２５の右側には直径Ｒ６の入口が形成され、底部（図の左側の部分）には直径Ｒ７の出口が形成されている。なお、Ｒ６，Ｒ７の具体的な寸法としては、一例として、Ｒ６＝１１ｍｍ，Ｒ７＝１ｍｍとすることができる。また、肉厚としては、数ミリ程度とすることができる。もちろん、これ以外の寸法でもよい。
【００５６】
（Ｄ）本発明の第２実施形態の動作の説明
つぎに、本発明の第２実施形態の動作について説明する。奏者がオカリナ１０を手に把持して本体部１１の指孔に指を配置し、吹口２１を口に咥えることで、演奏の準備が完了する。
【００５７】
このような状態において、奏者が吹口２１に対して呼気を吹き込むと、吹き込まれた呼気は、図９（Ａ）の右側に示す、Ｗ１×Ｗ２の矩形形状を有する気道から流入し、直径がＲ１の円形形状を有する出口から流出する。吹口２１が有する気道によって、呼気の流通が制限されるので、口腔内に蓄えられた呼気が一気に抜けてしまうことを防止できる。
【００５８】
吹口２１から流出した呼気は、管状部材２２内に送られる。管状部材２２は、前述したように、伸縮性を有する部材で構成されているので、呼気の圧力が急に高くなった場合には、管状部材２２が長さ方向または太さ方向に伸張し、逆に、呼気の圧力が急に低くなった場合には、管状部材２２が長さ方向または太さ方向に収縮することで、呼気の圧力の急激な変化を緩和する。
【００５９】
管状部材２２を通過した呼気は、調整部材２５に供給される。調整部材２５の入口の直径は、図９（Ｂ）に示すように、管状部材２２の内径よりも若干小さくなっている。このため、管状部材２２によって呼気の流量が若干制限される。
【００６０】
また、調整部材２５の気道は、図９（Ｂ）に示すように、入口に比べて断面積が広くなっているので、断熱膨張によって気体が膨張して温度が低下する。この結果、調整部材２５の気道内に結露が生じるが、調整部材２５が吸水性を有する場合には当該結露は調整部材２５によって吸着される。
【００６１】
調整部材２５の出口を通過した呼気は、管状部材２６に供給される。管状部材２６は一定の内径を有しており、調整部材２５の出口から排出された呼気は、圧力変化等を受けずに調整部材２７に供給される。
【００６２】
調整部材２７は、図９（Ｃ）に示す構造を有し、調整部材２７の気道は、一定の容積を有している。また、気道の入口よりも出口の直径が小さくなるように設定されている（Ｒ７＜Ｒ６に設定されている）。このため、調整部材２７に供給される空気の圧力が断続的に変化した場合であっても、調整部材２７の気道によって変化を吸収することができる。また、気道の出口の大きさを、奏者の肺活量や体力等に応じて適切に設定することで、オカリナ１０に対して適切な量の空気を供給することができる。
【００６３】
また、調整部材２７の気道は、図９（Ｃ）に示すように、調整部材２７の外形と略同じ形状を有することから、表面積が広く、調整部材２５によって吸収されなかった結露による水分を十分に吸収することができる。
【００６４】
調整部材２７を通過した呼気は、管状部材２４に供給される。管状部材２４の断面積は、調整部材２７の出口の面積よりも大きいので、ベンチュリー効果によって、流速が減少する代わりに、圧力が高くなる。管状部材２６を通過した圧力が高められた呼気は、オカリナ１０の笛口１２に供給される。
【００６５】
笛口１２に供給された呼気は、笛口１２の内部に形成されている気道を経由し、図示しないエッジに対して吹き当てられて分岐し、一部は本体部１１の共鳴部に流入し、一部は図示しない歌口から外部へ流出する。奏者が、指を操って、押さえる指孔の位置を変えることで音高を変え、楽曲を奏でることが出来る。
【００６６】
奏者が呼吸器疾患を有する場合や、高齢者の場合、呼気が断続的になったり、一定の流量を保ったりすることが困難な場合がある。そのような場合であっても、第２実施形態では、調整部材２５および調整部材２７によって呼気の流量をコントロールするとともに、調整部材２５，２７および管状部材２６によって構成される一定の容積を有する気道と、伸縮自在な管状部材２２とによって、断続する呼気を平滑化するとともに、流量を一定に保つことができる。このため、安定した音を発することが可能になる。
【００６７】
なお、第２実施形態の場合も、図５に示すように管状部材２２の素材、太さ、および、長さを変えることにより、音の良否が変化する。実験結果から、第２実施形態の場合も、ストレッチゴムやアメゴム等の伸縮性が高い素材の方が、燃料チューブやシリコンチューブ等のように伸縮性があまり高くない素材に比べて良好な結果に繋がっている。また、太さは内径が６〜１０ｃｍ程度で、外径が８〜１４ｃｍ程度が良好な結果に繋がっている。さらに、長さは、５〜１５ｃｍ程度が良好な結果に繋がっている。このため、管状部材２２としては、ストレッチゴムやアメゴム等の伸縮性が高い素材で、内径が６〜１０ｃｍ程度で、外径が８〜１４ｃｍ程度であって、長さが５〜１５ｃｍ程度であることが望ましい。このように、管状部材２２の素材および形状を選択することで、奏者が呼吸器疾患を有する場合や、高齢者の場合でも、呼気を平滑化するとともに流量を一定に保つことで、安定した音を得ることができる。
【００６８】
以上に説明したように、本発明の第２実施形態によれば、管状部材２２の素材および形状を選択することで、奏者が呼吸器疾患を有する場合や、高齢者の場合でも、呼気を平滑化するとともに流量を一定に保つことで、安定した音を得ることができる。
【００６９】
また、第２実施形態では、２つの調整部材２５を設けるようにしたので、吹口２１と調整部材２５の間に形成される第１気道と、調整部材２５と調整部材２７の間に形成される第２気道とによって、呼気の平滑化をより確実に行うことができる。
【００７０】
また、管状部材２２を、可撓性を有する部材とすることで、オカリナ１０を上下および左右方向に自在に移動させることができるので、奏者の好みの位置でオカリナ１０を把持して演奏することができる。
【００７１】
また、調整部材２５，２７として、吸水性を有する部材を選択することで、管状部材２２，２６内に生じた結露による水分を吸収することができる。これにより、例えば、エッジに水分が付着して音が出にくくなることを防止できる。
【００７２】
また、調整部材２５，２７の気道を、図９（Ｂ），（Ｃ）に示すように、外形と略同じに構成することで（略一定の肉厚になるように構成することで）、気道の表面積を広くすることができ、水分の吸収を迅速化することができる。また、このような構成によれば、気道の容積を大きくすることができるので、呼気を平滑化するとともに流量を一定に保つことで、安定した音を得ることができる。
【００７３】
また、調整部材２５，２７として、耐熱性を有する部材（例えば、素焼きの陶器）を用いることで、調整部材２５，２７を取り外して、例えば、オーブン等で１００℃前後に加熱して乾燥するとともに、殺菌することで、結露した水分によってカビ等が発生することを防止できる。特に、呼吸器疾患を有する奏者に対しては、カビは症状を悪化させる原因にもなるので、加熱による殺菌を可能とすることで、症状を悪化させないで、音楽を楽しむことができる。
【００７４】
また、第２実施形態では、調整部材２５，２７として、図９（Ｂ），（Ｃ）に示すように、一方の気道が開放している構造を有するようにした。これにより、調整部材２５，２７の内部の洗浄が容易になる。
【００７５】
（Ｅ）本発明の第３実施形態の構成の説明
つぎに、図１０〜図１３を参照して、本発明の第３実施形態に係る延長吹口の構成例について説明する。ここで、図１０は第３実施形態の構成例を示す正面図であり、図１１は第３実施形態の内部構造を示す図であり、図１２は第３実施形態の展開図であり、図１３は第３実施形態の吹口３１および調整部材２３の詳細な構成を説明するための図である。
【００７６】
図１０〜図１３に示すように、第３実施形態の延長吹口２０は、吹口３１、管状部材２２、調整部材２３、および、管状部材２４を有し、管状部材２４の一端がオカリナ１０の笛口１２に着脱自在に接続される。なお、図１と対応する部分には同一の符号を付している。
【００７７】
ここで、吹口３１は、例えば、陶器、樹脂、木材、金属、ゴム等の空気を通しにくい部材によって構成され、一端が楕円形状を有し、他端が円形の断面形状を有している。吹口３１の扁平な一端は奏者の口唇に当接され、呼気が吹き込まれる。また、他端は管状部材２２の一端の内側に挿入される。
【００７８】
なお、管状部材２２、調整部材２３、および、管状部材２４は、図１に示す第１実施形態の場合と同様である。
【００７９】
図１３は、吹口３１、および、調整部材２３の構成例を示す図である。より詳細には、図１３（Ａ）は、吹口３１の詳細な構成例を示している。図１３（Ａ）の中央は、吹口３１の平面図であり、右側は右側面図であり、左側は左側面図である。この図に示すように、吹口３１は、断面が円柱形状を有する部分と、断面が楕円形状を有する部分とから構成される。なお、吹口３１がこのような形状を有するのは、楕円形状を有する部分については、奏者の口唇に当接されて呼気をスムーズに吹き込むためであり、また、円柱形状を有するのは管状部材２２との接続を容易にするためである。
【００８０】
図１３（Ａ）の右側面図に示すように、断面が楕円形状を有する部分には直径がＲ８の円形形状を有する気道が形成されている。また、左側面図に示すように、円柱形状を有する部分には、直径がＲ８の気道が形成されている。さらに、断面が楕円形状を有する部分には、図１３（Ａ）の右側面図に破線の楕円で示すように、楕円形状を有する凹部が形成され、この凹部に奏者の口唇が当接されることで、呼気の漏洩を少なくするとともに、口唇との摩擦を増加することで、奏者が歯で噛むことなく、吹口３１の移動を規制することができる。
【００８１】
なお、Ｗ３，Ｗ４，Ｗ５，Ｒ８，Ｒ９の具体的な寸法としては、一例として、Ｗ３＝３５ｍｍ，Ｗ４＝３１ｍｍ，Ｗ５＝１６ｍｍ，Ｒ８＝４ｍｍ，Ｒ９＝２０ｍｍとすることができる。また、肉厚としては、数ミリ程度とすることができる。もちろん、これ以外の寸法でもよい。
【００８２】
図１３（Ｂ）は、調整部材２３の構成例を示している。なお、調整部材２３は、図９（Ｂ）と同様であるので、その説明は省略する。
【００８３】
（Ｆ）本発明の第３実施形態の動作の説明
つぎに、本発明の第３実施形態の動作について説明する。奏者がオカリナ１０を手に把持して本体部１１の指孔に指を配置し、吹口３１に口唇を当接することで、演奏の準備が完了する。
【００８４】
このとき、奏者の口唇は、吹口３１の凹部に当接される。このため、口唇と凹部との摩擦によって、吹口３１が移動することを規制できる。また、凹部の内部に口唇が押圧されることで、口唇と凹部の間の隙間が塞がれて、呼気が漏洩することを防止できる。
【００８５】
このような状態において、奏者が吹口３１に対して呼気を吹き込むと、吹き込まれた呼気は、図１３（Ａ）の右側に示す、凹部を介して直径がＲ８の気道から流入し、直径がＲ８の円形形状を有する出口から流出する。吹口３１が有する気道によって、呼気の流通が制限されるので、口腔内に蓄えられた呼気が一気に抜けてしまうことを防止できる。
【００８６】
吹口３１から流出した呼気は、管状部材２２内に送られる。管状部材２２は、前述したように、伸縮性を有する部材で構成されているので、呼気の圧力が急に高くなった場合には、管状部材２２が長さ方向または太さ方向に伸張し、逆に、呼気の圧力が急に低くなった場合には、管状部材２２が長さ方向または太さ方向に収縮することで、呼気の圧力の急激な変化を緩和する。
【００８７】
管状部材２２を通過した呼気は、調整部材２３に供給される。調整部材２３内に形成される気道は、図１３（Ｂ）に示すように、一定の容積を有している。また、気道の入口よりも出口の直径が小さくなるように設定されている（Ｒ３＜Ｒ２に設定されている）。このため、調整部材２３に供給される空気の圧力が断続的に変化した場合であっても、調整部材２３の気道によって変化を吸収することができる。また、気道の出口の大きさを、奏者の肺活量や体力等に応じて適切に設定することで、オカリナ１０に対して適切な量の空気を継続的に供給することができる。
【００８８】
調整部材２３を通過した呼気は、管状部材２４に供給される。管状部材２４の断面積は、調整部材２３の出口の面積よりも大きいので、ベンチュリー効果によって、流速が減少する代わりに、圧力が高くなる。管状部材２４を通過した圧力が高められた呼気は、オカリナ１０の笛口１２に供給される。
【００８９】
笛口１２に供給された呼気は、笛口１２の内部に形成されている気道を経由し、図示しないエッジに対して吹き当てられて分岐し、一部は本体部１１の共鳴部に流入し、一部は図示しない歌口から外部へ流出する。奏者が、指を操って、押さえる指孔の位置を変えることで音高を変え、楽曲を奏でることが出来る。
【００９０】
なお、奏者が呼吸器疾患を有する場合や、高齢者の場合、呼気が断続的になったり、一定の流量を保ったりすることが困難な場合がある。そのような場合であっても、第３実施形態では、調整部材２３によって呼気の流量をコントロールするとともに、調整部材２３内に設けられた一定の容積を有する気道と、伸縮自在な管状部材２２とによって、断続する呼気を平滑化するとともに、流量を一定に保つことができる。このため、安定した音を発することが可能になる
【００９１】
なお、第３実施形態の場合も、図５に示すように管状部材２２の素材、太さ、および、長さを変えることにより、音の良否が変化する。実験結果から、第３実施形態の場合も、ストレッチゴムやアメゴム等の伸縮性が高い素材の方が、燃料チューブやシリコンチューブ等のように伸縮性があまり高くない素材に比べて良好な結果に繋がっている。また、太さは内径が６〜１０ｃｍ程度で、外径が８〜１４ｃｍ程度が良好な結果に繋がっている。さらに、長さは、５〜１５ｃｍ程度が良好な結果に繋がっている。このため、管状部材２２としては、ストレッチゴムやアメゴム等の伸縮性が高い素材で、内径が６〜１０ｃｍ程度で、外径が８〜１４ｃｍ程度であって、長さが５〜１５ｃｍ程度であることが望ましい。このように、管状部材２２の素材および形状を選択することで、奏者が呼吸器疾患を有する場合や、高齢者の場合でも、呼気を平滑化するとともに流量を一定に保つことで、安定した音を得ることができる。
【００９２】
以上に説明したように、本発明の第３実施形態によれば、管状部材２２の素材および形状を選択することで、奏者が呼吸器疾患を有する場合や、高齢者の場合でも、呼気を平滑化するとともに流量を一定に保つことで、安定した音を得ることができる。
【００９３】
また、第３実施形態では、吹口３１の口唇に当接される部分が楕円形状とするとともに、凹部を有するようにしたので、奏者の口唇が凹部内に挿入されることで、口唇と凹部との間の摩擦が増加して、吹口３１が移動することを規制できる。また、奏者の口唇が凹部内に挿入されることで、呼気が漏れることを防止できる。さらに、吹口２１の場合、奏者が歯で噛むことで固定するため歯に負担がかかるが、吹口３１の場合には歯で噛む必要がない。このため、リラックスして演奏を行うことができる。
【００９４】
また、管状部材２２を、可撓性を有する部材とすることで、オカリナ１０を上下および左右方向に自在に移動させることができるので、奏者の好みの位置でオカリナ１０を把持して演奏することができる。
【００９５】
また、調整部材２３として、吸水性を有する部材を選択することで、管状部材２２，２４内に生じた結露による水分を吸収することができる。これにより、例えば、エッジに水分が付着して音が出にくくなることを防止できる。
【００９６】
また、調整部材２３として、耐熱性を有する部材（例えば、素焼きの陶器）を用いることで、調整部材２３を取り外して、例えば、オーブン等で１００℃前後に加熱して乾燥するとともに、殺菌することで、結露した水分によってカビ等が発生することを防止できる。特に、呼吸器疾患を有する奏者に対しては、カビは症状を悪化させる原因にもなるので、加熱による殺菌を可能とすることで、症状を悪化させないで、音楽を楽しむことができる。
【００９７】
なお、第３実施形態では、吹口３１以外は第１実施形態と同様の構成としたが、吹口３１以外を第２実施形態と同様の構成としてもよい。
【００９８】
また、吹口３１は、例えば、釉薬を塗布して硝子質が表面に形成された構成としてもよい。もちろん、吹口３１の凹部にも釉薬を塗布して硝子質が表面に形成された構成としてもよい。そのような構成によれば、素焼きの陶器の場合には、吸湿性があることから、吹口３１が口唇に吸着する場合があるが、釉薬を施すことで、吸着を防止することができる。また、陶器ではなく、例えば、シリコンゴムや樹脂等によって構成するようにしてもよい。このような構成によれば、吹口３１を軽量化することができる。
【００９９】
（Ｇ）変形実施形態の説明
以上の各実施形態は一例であって、本発明が上述したような場合のみに限定されるものでないことはいうまでもない。例えば、以上の各実施形態では、吹奏楽器として、オカリナを例に挙げて説明したが、オカリナ以外の吹奏楽器、例えば、鍵盤ハーモニカや、縦笛等に本発明を適用することができる。
【０１００】
また、以上の各実施形態では、伸縮性を有する管状部材２２として、アメゴムまたはストレッチゴム等のゴム部材を用いるようにしたが、例えば、蛇腹構造を有する、塩化ビニール等の樹脂によって構成される部材を用いるようにしてもよい。
【０１０１】
また、出口の直径が異なる調整部材２３，２７を複数準備し、オカリナ１０の種類や、奏者の好み等に応じて、取り替えるようにしてもよい。そのような構成によれば、様々な種類のオカリナに対応するとともに、奏者の好みにも細かく対応することができる。
【０１０２】
また、調整部材２３，２７の内部を流れる呼気の流量を制御できるようにしてもよい。例えば、調整部材２３，２７の内部に流量制御弁を設け、当該流量制御弁によって、呼気の流量を連続的に制御できるようにしてもよい。そのような構成によれば、奏者にあった流量を簡単に見つけることができる。
【０１０３】
また、吹口２１および調整部材２３，２５，２７の形状は一例であって、本発明が図示した形状に限定されるものではないことはいうまでもない。
【０１０４】
最後に、本願発明者は、喘息を持病として有しており、幼少時から喘息の発作で入院したり、酸素が脳に回らずに気を失ったりする経験を繰り返してきた。一般的な気管支喘息は、閉塞性換気障害と呼ばれ、気管が狭くなって息を吐けない状態となり、結果的に、肺が膨張したまま息を吐き出せずに吸うことができなくなる。このような症状を改善するためには、少しずつ息を吐き出す訓練が有効である。前述した各実施形態に係る延長吹口を装着したオカリナは、調整部材２３，２７によって呼気を制限するとともに、発生する音の強弱等によってフィードバックを得ることができるので、このような少しずつ息を吐き出す訓練に非常に有効である。また、発作には、精神的なストレスが大きく影響することから、このような音によるフィードバックによって自分自身と対峙して自己の状態を把握するとともに、より精神的に安定した状態で自分自身を導くことで、症状を沈静化することができる。
【符号の説明】
【０１０５】
１０  オカリナ
１１  本体部
１２  笛口
２０  延長吹口
２１，３１  吹口
２２，２４，２６  管状部材
２３，２５，２７  調整部材
【図１】
2019003168.tif 000003
【図２】
2019003168.tif 000004
【図３】
2019003168.tif 000005
【図４】
2019003168.tif 000006
【図５】
2019003168.tif 000007
【図６】
2019003168.tif 000008
【図７】
2019003168.tif 000009
【図８】
2019003168.tif 000010
【図９】
2019003168.tif 000011
【図１０】
2019003168.tif 000012
【図１１】
2019003168.tif 000013
【図１２】
2019003168.tif 000014
【図１３】
2019003168.tif 000015